(57)【特許請求の範囲】
【請求項１】
電動モータを内蔵したハウジングと、
前記ハウジングの前部から前方に突出して設けたガイドバーと、
前記ガイドバーの外周に回転可能に張設されて、前記電動モータの駆動によって前記ガイドバーの外周を回転するソーチェーンと、
前記ハウジングの前側にて前記ガイドバーと前記ソーチェーンとを着脱可能に覆うように装着されるガイドバーケースと、
前記電動モータを駆動させるためのトリガスイッチと、
を備えたチェーンソーであって、
前記ハウジングの前部には、凹部を設け、
前記ガイドバーケースの前記ハウジング側の端部には、前記凹部に挿通される突部を設け、
前記ハウジングの前部には前記ガイドバーケースが装着状態にあることを検知する検知部であって、前記突部が前記凹部に挿通されたときに、前記ガイドバーケースが装着状態であると検知する前記検知部を設け、
前記検知部によって前記ガイドバーケースが装着状態であると検知される場合に、前記トリガスイッチが操作されても、前記電動モータが駆動しないようにしたことを特徴とするチェーンソー。
【請求項２】
請求項１に記載のチェーンソーにおいて、
前記検知部は前記突部が前記凹部に挿通されたことを検出する検出器を備え、
前記検出器により前記突部が前記凹部に挿通されたことの検出によって、前記ガイドバーケースが装着状態にあると検知するようにしたことを特徴とするチェーンソー。
【請求項３】
請求項２に記載のチェーンソーにおいて、
前記検出器には前記突部が前記凹部に挿通されたときにオンまたはオフとなるスイッチを採用し、
前記スイッチがオンまたはオフされたことの検出によって、前記ガイドバーケースが装着状態にあると検知するようにしたことを特徴とするチェーンソー。
【請求項４】
請求項２に記載のチェーンソーにおいて、
前記検出器には前記突部が前記凹部に挿通されたことを検出する光センサを採用し、
前記光センサにより前記突部が前記凹部に挿通されたことの検出によって、前記ガイドバーケースが装着状態にあると検知するようにしたことを特徴とするチェーンソー。
【発明の詳細な説明】
【技術分野】
【０００１】
本発明は、チェーンソーに関し、ガイドバーとソーチェーンとを覆うガイドバーケースを着脱可能に備えたチェーンソーに関する。
【背景技術】
【０００２】
特許文献１には、チェーンソーが開示されている。このチェーンソーは、電動モータを内蔵したハウジングと、ハウジングの前部から前方に突出して設けたガイドバーと、ガイドバーの外周に回転可能に張設されて、電動モータの駆動によってガイドバーの外周を回転するソーチェーンとを備えている。また、このチェーンソーはハウジングの前側にガイドバーとソーチェーンとを覆うガイドバーケースを着脱可能に備えている。保管時、運搬時のようにチェーンソーを使用しないときには、ハウジングの前側にガイドバーケースを装着することで、ガイドバーとソーチェーンとをガイドバーケースにより覆うようにし、作業者がソーチェーンに接触するのを防ぐようにしている。
【先行技術文献】
【特許文献】
【０００３】
【特許文献１】特開２０１０−２０８３２９号公報
【発明の概要】
【発明が解決しようとする課題】
【０００４】
特許文献１のチェーンソーにおいては、ハウジングの前側にガイドバーとソーチェーンとを覆うガイドバーケースを装着し、作業者がソーチェーンに接触するのを防ぐようにしている。しかし、作業者がグリップを握ったときに意図せずに電動モータを駆動させるトリガスイッチをオンさせてしまうことがあり、ソーチェーンがガイドバーケースの内部で回転し、ガイドバーケースの内部が削られて破損するおそれがあった。本発明は、チェーンソーのガイドバーとソーチェーンとを覆うガイドバーケースが破損しないようにすることを目的とする。
【課題を解決するための手段】
【０００５】
上記課題を解決するために、本発明は、電動モータを内蔵したハウジングと、ハウジングの前部から前方に突出して設けたガイドバーと、ガイドバーの外周に回転可能に張設されて、電動モータの駆動によってガイドバーの外周を回転するソーチェーンと、ハウジングの前側にてガイドバーとソーチェーンとを着脱可能に覆うように装着されるガイドバーケースとを備えたチェーンソーであって、ハウジングの前部にはガイドバーケースが装着状態にあることを検知する検知部を設け、検知部によるガイドバーケースが装着状態であるとの検知に基づいて電動モータが駆動しないようにしたことを特徴とするチェーンソーを提供するものである。
【０００６】
上記のように構成したチェーンソーにおいては、ハウジングの前部にはガイドバーケースが装着状態にあることを検知する検知部を設け、検知部によるガイドバーケースが装着状態であるとの検知に基づいて電動モータが駆動しないようにしたので、ソーチェーンは装着状態のガイドバーケースの内部で回転せず、ガイドバーケースがソーチェーンによって破損することがなくなった。
【０００７】
上記のように構成したチェーンソーにおいては、ハウジングの前部には凹部と、ガイドバーケースのハウジング側の端部には装着状態にて凹部に挿通される突部とを備え、検知部は突部が凹部に挿通されたときに、ガイドバーケースが装着状態であると検知するようにするのが好ましい。また、上記のように構成したチェーンソーの一実施形態として、検知部は突部が凹部に挿通されたことを検出する検出器を備え、検出器により突部が凹部に挿通されたことの検出によって、ガイドバーケースが装着状態にあると検知するようにしにしてもよい。さらに、検出器には突部が凹部に挿通されたときにオンまたはオフとなるスイッチを採用し、スイッチがオンまたはオフされたことの検出によって、ガイドバーケースが装着状態にあると検知するようにしてもよいし、検出器には突部が凹部に挿通されたことを検出する光センサを採用し、光センサにより突部が凹部に挿通されたことの検出によって、ガイドバーケースが装着状態にあると検知するようにしてもよい。
【図面の簡単な説明】
【０００８】
【図１】本発明のチェーンソーの概略を示す右側面図である。
【図２】ハウジングの前部に形成された凹部のある部分にて水平方向に切断した拡大断面図である。
【図３】ガイドバーケースを使用するときの伸長状態とした側面図（ａ）であり、ガイドバーケースを使用しないときの収縮状態とするとともに、スパイクカバー部を収納位置に回動させたときの側面図（ｂ）である。
【図４】ハウジング内の検知部の概略を示す断面図であり、突部を凹部に挿通する前の状態を示す断面図（ａ）と、突部を凹部に挿通したときの状態を示す断面図（ｂ）である。
【図５】制御装置のブロック図である。
【図６】ハウジング内の検知部の他の実施形態の概略を示す図４に相当する断面図である。
【図７】ハウジング内の検知部の検出器に光センサを用いたときの概略を示す図４に相当する断面図である。
【発明を実施するための最良の形態】
【０００９】
以下、本発明のチェーンソーの一実施形態を添付図面を参照して説明する。図１に示したように、チェーンソー１０は電動モータ２０を内蔵したハウジング１１を備えている。ハウジング１１の後部には後方に延びるリアハンドル１２が一体的に設けられており、ハウジング１１の上部には左右方向に延びるサイドハンドル１３が設けられている。リアハンドル１２の上部にはトリガスイッチ１４が設けられており、トリガスイッチ１４を引くことによって電動モータ２０が駆動する。
【００１０】
図１に示したように、ハウジング１１の右側面には電動モータ２０の駆動によって回転する駆動軸２０ａが突出して設けられており、駆動軸２０ａにはスプロケット２１が固定されている。電動モータ２０の駆動によって駆動軸２０ａを回転させると、スプロケット２１は電動モータ２０の駆動によって回転駆動する。ハウジング１１の右側面の前部にはガイドバー２２の基端部が固定されており、このガイドバー２２はハウジング１１の前方に突出している。スプロケット２１とガイドバー２２の外周との間にはソーチェーン２３が張設されており、ソーチェーン２３はスプロケット２１の回転駆動によってスプロケット２１とガイドバー２２の外周との間を回転する。ハウジング１１の右側面にはスプロケットカバー２４が設けられており、スプロケットカバー２４はスプロケット２１とガイドバー２２の基端部とを覆っている。
【００１１】
図１及び図２に示したように、ハウジング１１の前部にはガイドバー２２の左側にて前方に突出するスパイクバンパ２５が設けられている。スパイクバンパ２５は前部に前方に突出する複数の爪部を有しており、これら爪部を丸太等の材木に突き刺すことで、ガイドバー２２が左右方向にずれるのを防いでいる。
【００１２】
図１に示したように、ハウジング１１の後部には電動モータ２０の電源としてバッテリパック２６が着脱可能に取り付けられている。バッテリパック２６はトリガスイッチ１４の操作に基づいて電動モータ２０に給電し、電動モータ２０を駆動させるものである。
【００１３】
図１に示したように、ハウジングの前側にはガイドバー２２とソーチェーン２３とを覆うガイドバーケース３０が着脱可能に装着されている。図３に示したように、ガイドバーケース３０はテレスコピック機構によって伸縮自在としたものである。ガイドバーケース３０は何れも筒形をした基部３１と中間部３２と先部３３とを備え、基部３１の内部に中間部３２と先部３３とを収容可能として、伸縮自在としている。
【００１４】
このガイドバーケース３０を詳細に説明すると、基部３１は先端開口３１ａを有しており、先端開口３１ａは基部３１の内径より少し小さな径となっている。基部３１の内部には基部３１の先端開口３１ａと略同じ径とした中間部３２が軸線方向に沿って移動可能に収容されている。また、中間部３２の基端部には基部３１の先端開口３１ａより大きな径をした係止部３２ａが形成されており、中間部３２の係止部３２ａが基部３１の先端開口３１ａの周縁に係止して基部３１から抜け止めされている。また、中間部３２は先端開口３２ｂを有しており、先端開口３２ｂは中間部３２の内径より少し小さな径となっている。中間部３２の内部には中間部３２の先端開口３２ｂと略同じ径とした先部３３が軸線方向に沿って移動可能に収容されている。先部３３の基端部には中間部３２の先端開口３２ｂより大きな径をした係止部３３ａが形成されており、先部３３の係止部３３ａが中間部３２の先端開口３２ｂの周縁に係止して中間部３２から抜け止めされている。このように、ガイドバーケース３０は、基部３１と中間部３２と先部３３とが軸線方向にて連続して並ぶ伸長状態と、基部３１に中間部３２と先部３３とが収納される収縮状態との間で伸縮自在となっている。
【００１５】
また、図２に示したように、ガイドバーケース３０の基部３１にはスパイクバンパ２５を覆う筒形をしたスパイクカバー部３４が設けられている。スパイクカバー部３４は基部３１の基端に上下方向を軸線回りに回動可能に支持されている。スパイクカバー部３４は、基部３１と左右方向にて並ぶ使用位置（図２及び図３（ａ）に示した）と、基部３１、中間部３２及び先部３３と軸線方向に沿って並ぶ収納位置（図３（ｂ）に示した）とで回動可能となっている。
【００１６】
ガイドバーケース３０の基部３１のハウジング１１側となる基端部には後方（ハウジング１１側）に突出する突部３５が設けられており、突部３５はハウジング１１の前面（前部）に設けた凹部１１ａに挿通可能となっている。この突部３５はハウジング１１の凹部１１ａに挿通されることによって、ガイドバーケース３０がハウジング１１の前側にてガイドバー２２とソーチェーン２３とを覆う装着状態であることを検知させるためのものである。
【００１７】
図２及び図４に示したように、ハウジング１１の前面（前部）には貫通孔よりなる凹部１１ａが形成されており、ハウジング１１内の前部には凹部１１ａの後側にガイドバーケース３０の装着状態を検知する検知部４０が設けられている。検知部４０はハウジング１１内の前部にてガイドバーケース３０の突部３５が凹部１１ａに挿通されたことを検出することにより、ガイドバーケース３０が装着状態であることを検知するものである。
【００１８】
図４に示したように、検知部４０は、ハウジング１１内の前部にマイクロスイッチ（スイッチ）４１と、回転レバー４２とを備えている。マイクロスイッチ４１は突部３５が凹部１１ａに挿通されたことを検出する検出器である。図４（ａ）に示したように、マイクロスイッチ４１はガイドバーケース３０の突部３５がハウジング１１の凹部１１ａに挿通されていない状態では回転レバー４２によって押されてオンした状態となっている。回転レバー４２は突部３５が凹部１１ａに挿通されたことをマイクロスイッチ４１により検出させるためのものである。回転レバー４２はハウジング１１内の凹部１１ａの直ぐ後側でマイクロスイッチ４１の上側に左右方向の軸線回りに回転可能に支持されている。また、図４（ａ）に示したように、回転レバー４２はトーションスプリング４３によって垂下する垂下姿勢となるように付勢されており、垂下姿勢でマイクロスイッチ４１を押してオンした状態とさせている。この状態から、図４（ｂ）に示したように、ガイドバーケース３０をハウジング１１の前側にて装着状態として、ガイドバーケース３０の突部３５を凹部１１ａに挿通すると、回転レバー４２は突部３５によって後方に押されてトーションスプリング４３の付勢力に抗して後方に回動し、マイクロスイッチ４１は回転レバー４２によって押されたオンした状態から押されなくなるオフの状態となる。このように、マイクロスイッチ４１はオンからオフの状態となることで、突部３５が凹部１１ａに挿通されたことを検出し、検知部４０はこのマイクロスイッチ４１による突部３５が凹部１１ａに挿通されたことの検出によって、ガイドバーケース３０が装着状態であることを検知する。
【００１９】
図５に示したように、チェーンソー１０は電動モータ２０の駆動を制御する制御装置５０を備えており、制御装置５０はトリガスイッチ１４と、電動モータ２０と、検知部４０（特にマイクロスイッチ４１）とに接続されている。制御装置５０にマイクロスイッチ４１からオフ信号が入力される、すなわち、ガイドバーケース３０の突部３５が凹部１１ａに挿通されたことが検出されると、電動モータ２０にバッテリパック２６からの給電を遮断するように制御し、トリガスイッチ１４を引いても電動モータ２０を駆動しないように制御している。
【００２０】
上記のように構成したチェーンソー１０を使用するときには、ハウジング１１の前側からガイドバーケース３０を取り外した状態とし、作業者は右手でリアハンドル１２を把持して左手でサイドハンドル１３を把持する。作業者は右手の人差し指でトリガスイッチ１４を引くと、電動モータ２０の駆動によってスプロケット２１が回転駆動し、ソーチェーン２３がスプロケット２１の回転駆動によってガイドバー２２の外周を回転する。この状態にて、ガイドバー２２の外周を回転するソーチェーン２３を丸太等の木材に押しつけることにより、丸太等の木材は回転するソーチェーン２３によって切断される。
【００２１】
また、チェーンソー１０を保管するときや運搬するときのように使用しないときには、ハウジング１１の前側にガイドバー２２とソーチェーン２３とを覆うようにガイドバーケース３０を装着する。このとき、ガイドバーケース３０の基部３１に設けた突部３５はハウジング１１の前部に設けた凹部１１ａに挿通され、検知部４０のマイクロスイッチ４１は回転レバー４２により押されたオンの状態からオフの状態となる。制御装置５０にマイクロスイッチ４１からオフ信号が入力される、すなわち、ガイドバーケース３０が装着状態であるとの検知情報が入力されると、制御装置５０はバッテリパック２６から電動モータ２０への給電を遮断されるように制御し、電動モータ２０が駆動しないように制御する。
【００２２】
上記のように構成したチェーンソー１０においては、ハウジング１１の前部にはガイドバーケース３０の装着状態を検知する検知部４０を設け、検知部４０によるガイドバーケース３０が装着状態であるとの検知に基づいて電動モータ２０が駆動しないようにした。この実施形態では、チェーンソー１０は、ハウジング１１の前部に貫通孔よりなる凹部１１ａと、ガイドバーケース３０のハウジング１１側の端部には装着状態にて凹部１１ａに挿通される突部３５とを備え、検知部４０は突部３５が凹部１１ａに挿通されたときに、ガイドバーケース３０が装着状態であると検知するようにした。さらに詳述すると、検知部４０はマイクロスイッチ４１を備え、マイクロスイッチ４１によってガイドバーケース３０の突部３５が凹部１１ａに挿通されたことを検出することにより、ガイドバーケース３０がハウジング１１の前側に装着された装着状態であることを検知している。制御装置５０は検知部４０によるガイドバーケース３０の装着状態の検知に基づいて、バッテリパック２６から電動モータ２０への給電を遮断するように制御している。
【００２３】
このように、検知部４０によるガイドバーケース３０が装着状態であるとの検知に基づいて電動モータ２０が駆動しないようにしたので、ソーチェーン２３は装着状態のガイドバーケース３０の内部で回転せず、ガイドバーケース３０が回転するソーチェーン２３によって破損するおそれがなくなった。
【００２４】
上述した実施形態のチェーンソー１０においては、検知部４０はマイクロスイッチ４１と回転レバー４２とを備え、マイクロスイッチ４１はガイドバーケース３０の非装着時に回転レバー４２によって押されることでオンの状態となり、ガイドバーケース３０の装着時に回転レバー４２によって押されずにオフの状態となっている。このように、検知部４０のマイクロスイッチ４１はオフの状態であるときにガイドバーケース３０が装着状態であると検知するようにしている。しかし、本発明はこれに限られるものでなく、図６に示したように、ガイドバーケース３０の突部３５がハウジング１１の凹部１１ａに挿通されたときに、マイクロスイッチ４１が突部３５によって押されることでオフの状態からオンの状態となり、マイクロスイッチ４１がオンの状態となるときにガイドバーケース３０が装着状態であると検知するようにしてもよく、このようにしたときにも同様の作用効果を得ることができる。
【００２５】
また、上述したチェーンソー１０においては、検知部４０のマイクロスイッチ４１を突部３５が凹部１１ａに挿通されたことを検出する検出器として採用したものであるが、他の実施形態においては、図７に示したように、検知部４０のマイクロスイッチ４１に代えて光センサ４１Ａを突部３５が凹部１１ａに挿通されたことを検出する検出器として採用したものであってもよい。この場合には、光センサ４１Ａの発光部４１Ａａの光は凹部１１ａに挿通された突部３５によって遮られて受光部４１Ａｂで受光できないときに、光センサ４１Ａは突部３５が凹部１１ａに挿通されたことを検出する。検知部４０はこのように光センサ４１Ａによって突部３５が凹部１１ａに挿通されたことを検出することで、ガイドバーケース３０が装着状態であると検知する。制御装置５０は検知部４０の光センサ４１Ａによるガイドバーケース３０が装着状態であると検知情報に基づいて、電動モータ２０が駆動しないように制御する。このように、検出器に光センサ４１Ａを採用したときにも、上述したのと同様の作用効果を得ることができる。
【００２６】
また、上述した実施形態のチェーンソー１０においては、検知部４０のマイクロスイッチ４１、光センサ４１Ａを突部３５が凹部１１ａに挿通されたことを検出する検出器として採用したが、本発明はこれに限られるものでなく、種々の検出器によって突部３５が凹部１１ａに挿通されたことを検出するようにしてもよい。この一例として、ガイドバーケース３０の突部３５に磁石を設ける、または、突部３５を磁石よりなるものとし、ハウジング１１内の前部に突部３５の磁力によってオンするリードスイッチを検出器として採用してもよい。この場合には、リートスイッチが突部３５の磁力によってオンとなることによって、突部３５が凹部１１ａに挿通されたことを検出して、検知部４０によってガイドバーケース３０が装着状態であると検知する。制御装置５０は検知部４０のリードスイッチによるガイドバーケース３０が装着状態であると検知情報に基づいて、電動モータ２０が駆動しないように制御する。このように、検出器にリードスイッチ等の他の検出器を採用したときにも、上述したのと同様の作用効果を得ることができる。
【００２７】
また、チェーンソー１０の検知部４０は突部３５を凹部１１ａに挿通したことを検出する検出器によるものに限られるものでなく、ハウジング１１の凹部１１ａに挿通された突部３５により、バッテリパック２６等の電源から電動モータ２０に電気を供給する回路の一部を電気的に遮断するようにしたものであってもよく、このようにしたときにも、上述した作用効果を得ることができる。
【００２８】
この実施形態では、チェーンソー１０の電動モータ２０を駆動させる電源としてバッテリパック２６を用いたが、本発明はこれに限られるものでなく、外部の電源に電源コードを用いて電動モータ２０を電気的に接続するようにしたものであってもよい。
【００２９】
この実施形態では、ガイドバーケース３０はテレスコピック機構によって伸縮自在としたが、本発明はこれに限られるものでなく、１つの筒部材を用いることで伸縮自在としないものであってもよく、このようにしたときにも、上述した作用効果を得ることができる。
【符号の説明】
【００３０】
１０…チェーンソー、１１…ハウジング、１１ａ…凹部、２０…電動モータ、２２…ガイドバー、２３…ソーチェーン、３０…ガイドバーケース、３５…突部、４０…検知部、４１…スイッチ（検出器）、４１Ａ…光センサ（検出器）。
【図１】
0006475555.tif 000002
【図２】
0006475555.tif 000003
【図３】
0006475555.tif 000004
【図４】
0006475555.tif 000005
【図５】
0006475555.tif 000006
【図６】
0006475555.tif 000007
【図７】
0006475555.tif 000008